(57)【要約】【課題】コーナー棚１の受け部材２の正面端近傍を下方に加圧してもコーナー棚１が浮き上がることがないコーナー棚及びコーナー棚支持部材９を提供する。【解決手段】受け部材２に連続的に垂設された縦部材３、４には、夫々正面方に傾斜し下端縁に開口する係止溝７を設けている。扁平帯状体１０、１１には、係止溝７と同一傾斜角度をもって角部から先端方に傾斜する係止片１４、１６を扁平帯状体１０、１１の正面に対して９０°の角度を有して突設している。係止片１４、１６は夫々対応する係止溝７に係合させて、予め壁面１２に取り付けられているコーナ棚支持部材９にコーナー棚１を取り付ける。【選択図】図１１
2019130262.tif 000002
【特許請求の範囲】
【請求項１】
物品を上面に載置するための平坦な上面よりなりる受け部材と、
該受け部材の隣り合う２側縁に夫々連続的に垂設され、平面から視て外側面の延長線が互いに略９０度の角度を有して交差するように設けられた縦部材とを有するコーナ棚において、
前記縦部材には下端縁に差し込み口を開口し、且つ、上方になるに従い正面方に傾斜する係止溝を設けたことを特徴とするコーナー棚。
【請求項２】
上記係止溝は、係止溝の溝幅中心線の延長仮想線と受け部材上面とのなす角度αが４５〜７０°の角度をなすように正面方に傾斜されて設定されてなることを特徴とする請求項１に記載のコーナー棚。
【請求項３】
物品を上面に載置するための平坦な上面よりなる受け部材と、
該受け部材の隣り合う２側縁に夫々連続的に垂設され、平面から視て外側面の延長線が互いに略９０度の角度を有して交差するように設けられた縦部材を有するコーナ棚において、
前記縦部材には溝幅が定幅の係止溝を設け、
該係止溝は縦部材下端縁に差し込み口を開口し、且つ、縦部材の長さ方向に於いて、溝底が前記差し込み口の開口位置よりも正面方に位置するようにしたことを特徴とするコーナー棚。
【請求項４】
上記請求項１又は２の何れかに記載のコーナー棚を壁面コーナー部に取り付けるためのコーナー棚支持部材であって、
縦幅が定幅で横方向に長い２辺の扁平帯状体を、内角が略９０度のコーナー部を有する平面視及び底面視が略Ｌ型に設けられてなり、
扁平帯状体の背面は壁面に当接可能な平坦面よりなり、扁平帯状体の正面には係止片とステープラー針打込み部が設けられ、
前記係止片は扁平帯状体の正面と９０度の角度を有して正面方に突き出し、且つ、上記請求項１又は２の何れかに記載のコーナー棚の係止溝に差し込み可能に、扁平帯状体の上端縁に対してコーナー部から先端部側に向けて４５〜７０°の角度を有して傾斜され、
ステープラー針打込み部は、ステープラー針を打込み可能な広さを有し、ステープラーヘッド押圧操作時のステープラー針押出力によりステープラー針の脚部のみを貫通可能な厚みに設定されてなることを特徴とするコーナー棚支持部材。
【請求項５】
上記請求項３に記載のコーナー棚を壁面コーナー部に取り付けるためのコーナー棚支持部材であって、
縦幅が定幅で横方向に長い２辺の扁平帯状体を、内角が略９０度のコーナー部を有する平面視及び底面視が略Ｌ型に設けられてなり、
扁平帯状体の背面は壁面に当接可能な平坦面よりなり、扁平帯状体の正面には棒体とステープラー針打込み部が設けられ、
前記棒体は扁平帯状体の正面と９０度の角度を有して正面方に突き出し、且つ、上記請求項３に記載のコーナー棚の係止溝内を移動可能に、該係止溝の溝幅よりも僅かばかり小径の外径を有し、
ステープラー針打込み部は、ステープラー針を打込み可能な広さを有し、ステープラーヘッド押圧操作時のステープラー針押出力によりステープラー針の脚部のみを貫通可能な厚みに設定されてなることを特徴とするコーナー棚支持部材。
【請求項６】
上記ステープラー針打込み部は、上下左右側壁に囲まれた凹部よりなり、
上下左右側壁のうち上側壁又は／及び下側壁は、ステープラー針打込み部とのなす角度βが１１０〜１６０°に設定された傾斜面であることを特徴とする請求項４又は５の何れかに記載のコーナー棚支持部材。
【発明の詳細な説明】
【技術分野】
【０００１】  本発明は、壁面コーナー部に取り付けるためのコーナー棚、及び主として石膏ボードよりなる壁面にコーナー棚を取り付けるためのコーナー棚支持部材に関する。
【背景技術】
【０００２】  内角９０度の角部を有する棚板と該棚板の周縁に側板を連設してなるコーナー棚は、予め壁面に定幅板状の取付部材をビスを用いて取り付け、この取付部材にコーナー棚を取り付けるようにしたもの（特許文献１〜３参照）や、側板の背面を壁面に当接しビスを用いて側板を壁面に固定しコーナー棚を壁面コーナー部に取り付けるようにしたものが提案されている（特許文献４又は非特許文献１参照）。
壁面のうちコーナー部分ではなく平坦な部分に取り付ける棚板と側板よりなる棚は、側板背面を壁面に当接しビスを用いて壁面に棚を取り付けるものが提案されている（非特許文献２参照）。
上記特許文献１〜４や非特許文献１若しくは２に開示の棚は、ビスで棚を壁面に取り付ける構成である。そのため、棚を壁面から抜き取り除去すると、壁面に視認可能なビスの螺孔が開口される。賃貸物件を退去時には賃借人は原状回復する必要がある。壁面に刺されていたビスを抜き取った後に形成される開孔で壁面の美観が損なわれ、賃貸物件として価値が劣り、新規契約が不利になるとの理由により、賃借人は借家の退出時に賃貸人に原状回復のための費用を要求されることがある。
ところで、壁面のコーナー部内角は９０度ではない構築物が殆どで、一般的には９０°±１〜３°である場合が多い。又、壁面も正確な鉛直である場合は少なく、１〜５度僅かに前傾或は後傾している場合が多い。このような特許文献１〜４や非特許文献１又は２に開示の棚を固定すると、壁面コーナー部内角が９０°を越す場合は棚板の背面に垂設され棚の壁面に取り付ける側板と壁面との間に隙間が生じ、壁面コーナー部内角が９０°未満の場合は側板間に圧力が加わり、棚板が合成樹脂製の場合は棚板が撓み損傷する場合があり、又、壁面が鉛直でない場合は壁面の傾斜量に応じて載置面も傾斜し水平を保持できないという欠点があった。
そこで、本発明者は上記欠点を解決するために、受け部材と縦部材の連結部に∩状の衝撃吸収部を設け、∩状の衝撃吸収部を支点として縦部材を内傾或は外傾可能にして壁面に縦部材背面を密接することで、受け部材と壁面との間に隙間を形成せす、又、受け部材が撓まないコーナー棚を創案し、特願２０１７−１８３０２７として特許出願をした。
特願２０１７−１８３０２７に係る発明は、壁に当接した縦部材の正面側から直接ステープラー針を打込むことで、縦部材を壁面コーナー部に固定的に取り付けて使用するものである。壁面への取り付け作業者は、コーナー棚の下方から覗き込み受け部材の底面を見上げる姿勢で、ステープラーを打込む作業を行わなければならないという欠点があった。
この欠点を解消するために、本発明者はコーナー棚単体ではなく、縦部材に受け部材と垂直な係止溝を設けたコーナー棚と、縦幅が定幅で横方向に長い扁平帯状体の正面に扁平帯状体の上端縁と垂直な係止片、つまり鉛直な係止片を扁平帯状体正面と９０度の角度を有して突き出して設けると共にステープラー針打込み部を設けたコーナー棚支持部材の２物品を用いることに着眼した。先ずは、壁面にコーナー棚支持部材の背面を当接し、ステープラー針をステープラー針打込み部に打ち込んで壁面にコーナー棚支持部材を取り付け、次に、縦部材の係止溝を係止片を差し込むことで、コーナー棚をコーナー棚支持部材を介在させて壁面コーナー部に取り付けるものである。本発明者は、位置決め作業等が簡単で、コーナー棚支持部材が外観上視認不可能であるという長所があるものの、受け部材の上面の正面側端部に下方向に加圧すると、係止片は係止溝から上方へ移動し抜け出してコーナー棚の角部側が上方に浮き上がり、コーナー棚はコーナー棚支持部材から落下するという短所があることに気が付いた。すなわち、コーナー棚の正面端縁の近傍には物を載置できないという受け部材への物の載置位置や荷重に制限があるという問題点があった。
尚、特許文献５は溝が水平方向に凹設されているため本発明の進歩性を論じる文献とはならない。特許文献６は穿孔を有する縦部材にピンを差し込んで壁面に取り付ける構成であるので、本発明の進歩性を論じる文献とはならない。
【先行技術文献】
【特許文献】
【０００３】
【特許文献１】特開２００７−３１３０３２号公報
【特許文献２】第２５２８４２３号の実用新案登録公報
【特許文献３】実公昭６１−２９３１８号公報
【特許文献４】特開２００８−４８７７８号公報
【特許文献５】実開平３−１９３４７号公報
【特許文献６】特許第４５９０４３８号の特許公報
【非特許文献】
【０００４】
【非特許文献１】１００円ショップ１００均Ｎｅｔのインターネット上のホームページのコーナーラック
【非特許文献２】１００円ショップ１００均Ｎｅｔのインターネット上のホームページのクイックラック
【発明の概要】
【発明が解決しようとする課題】
【０００５】  解決しようとする課題は、壁面に取り付けられた係止片及びステープラー針打込み部を有するコーナー棚支持部材に、係止溝を設けたコーナー棚を係止溝と係止片を係合させて取り付けた場合に、受け部材正面端近傍付近への下方向への加圧で係止片が係止溝から抜け、コーナー棚が落下する点である。
【課題を解決するための手段】
【０００６】  上記目的を達成するために本願発明のうち請求項１に記載の発明は、物品を上面に載置するための平坦な上面よりなりる受け部材と、受け部材の隣り合う２側縁に夫々連続的に垂設され、平面から視て外側面の延長線が互いに略９０度の角度を有して交差するように設けられた縦部材とを有するコーナ棚において、縦部材には下端縁に差し込み口を開口し、且つ、上方になるに従い正面方に傾斜する係止溝を設けたことを特徴とする。
請求項２に記載の発明は、請求項１に記載のコーナー棚の係止溝が、係止溝の溝幅中心線の延長仮想線と受け部材上面とのなす角度αが４５〜７０°の角度をなすように正面方に傾斜されて設定されてなることを特徴とする。
請求項３に記載の発明は、物品を上面に載置するための平坦な上面よりなる受け部材と、受け部材の隣り合う２側縁に夫々連続的に垂設され、平面から視て外側面の延長線が互いに略９０度の角度を有して交差するように設けられた縦部材を有するコーナ棚において、縦部材には溝幅が定幅の係止溝を設け、係止溝は縦部材下端縁に差し込み口を開口し、且つ、縦部材の長さ方向に於いて、溝底が差し込み口の開口位置よりも正面方に位置するようにしたことを特徴とする。
請求項４に記載の発明は、請求項１又は２の何れかに記載のコーナー棚を壁面コーナー部に取り付けるためのコーナー棚支持部材であって、縦幅が定幅で横方向に長い２辺の扁平帯状体を、内角が略９０度のコーナー部を有する平面視及び底面視が略Ｌ型に設けられてなり、扁平帯状体の背面は壁面に当接可能な平坦面よりなり、扁平帯状体の正面には係止片とステープラー針打込み部が設けられ、係止片は扁平帯状体の正面と９０度の角度を有して正面方に突き出し、且つ、請求項１又は２の何れかに記載のコーナー棚の係止溝に差し込み可能に、扁平帯状体の上端縁に対してコーナー部から先端部側に向けて４５〜７０°の角度を有して傾斜され、ステープラー針打込み部は、ステープラー針を打込み可能な広さを有し、ステープラーヘッド押圧操作時のステープラー針押出力によりステープラー針の脚部のみを貫通可能な厚みに設定されてなることを特徴とする。
請求項５に記載の発明は、請求項３に記載のコーナー棚を壁面コーナー部に取り付けるためのコーナー棚支持部材であって、縦幅が定幅で横方向に長い２辺の扁平帯状体を、内角が略９０度のコーナー部を有する平面視及び底面視が略Ｌ型に設けられてなり、扁平帯状体の背面は壁面に当接可能な平坦面よりなり、扁平帯状体の正面には棒体とステープラー針打込み部が設けられ、棒体は扁平帯状体の正面と９０度の角度を有して正面方に突き出し、且つ、請求項３に記載のコーナー棚の係止溝内を移動可能に、係止溝の溝幅よりも僅かばかり小径の外径を有し、ステープラー針打込み部は、ステープラー針を打込み可能な広さを有し、ステープラーヘッド押圧操作時のステープラー針押出力によりステープラー針の脚部のみを貫通可能な厚みに設定されてなることを特徴とする。
請求項６に記載の発明は、請求項４又は５の何れかに記載のコーナー棚支持部材のステープラー針打込み部は、上下左右側壁に囲まれた凹部よりなり、上下左右側壁のうち上側壁又は／及び下側壁は、ステープラー針打込み部とのなす角度βが１１０〜１６０°に設定された傾斜面であることを特徴とする。
【発明の効果】
【０００７】  本発明は、受け部材の上面のうち正面端近傍に上方から垂直方向に加圧しても係止片の上端から係止溝上端の後方部分へ、係止片の下端から係止溝の差し込み口正面側部分へ反作用力を受け、受け部材はコーナー棚支持部材から落下することがなく、安定的に取り付けられ、耐加重性が向上するという効果がある。
本発明は、予め壁面に取り付けられたコーナー棚支持部材にコーナー棚を取り付ける構成であるので、壁面のコーナー内角が８５〜９５°の範囲のコーナー壁面に取り付けることができるという効果がある。
本発明は、ステープラー針打込み部の上側壁又は／及び下側壁が所定傾斜角度の傾斜面であるので、ステープラーヘッドの位置決めが簡単で、壁面にステープラー針脚部を斜めに打込むことができ、コーナー棚支持部材の壁面への取り付け力が向上する。又、下側壁を傾斜させることで、作業時に作業者がしゃがみこむ必要のある壁面下部であってもステープラーヘッド頭部先端面を下側壁に当接することで極めて容易に取り付け可能であるという効果がある。
【図面の簡単な説明】
【０００８】
【図１】コーナー棚の平面図である。（実施例１）
【図２】図１のＡ−Ａ線断面図である。（実施例１）
【図３】縦部材の係止溝の角度を示す説明図である。（実施例１）
【図４】コーナー棚支持部材の平面図である。（実施例２）
【図５】コーナー棚支持部材を構成する一方の１辺の扁平帯状体を示す正面図である。（実施例２）
【図６】コーナー棚支持部材を構成する他方の１辺の扁平帯状体を示す正面図である。（実施例２）
【図７】２辺の扁平帯状体の連結部を示す斜視図である。（実施例２）
【図８】図５のＢ−Ｂ線拡大断面図である。（実施例２）
【図９】ステープラー針をコーナー棚支持部材に打込んだ状態を示す拡大断面説明図である。（実施例２）
【図１０】コーナー棚支持部材の係止片とコーナー棚の係止溝との関係を示す説明図である。（実施例２）
【図１１】コーナー棚支持部材にコーナー棚を取り付けた状態を示す底面図である。（実施例２）
【図１２】使用状態を示す説明図である。（実施例２）
【図１３】コーナー棚支持部材の一部切欠斜視図である。（実施例３）
【図１４】コーナー棚の縦部材に設けられた係止溝の説明図である。（実施例４）
【図１５】コーナー棚の縦部材に設けられた係止溝の説明図である。（実施例５）
【図１６】コーナー棚の縦部材に設けられた係止溝の説明図である。（実施例６）
【図１７】コーナー棚支持部材のステープラー針打込み部を示す一部切欠拡大説明図である。（実施例７）
【図１８】図１７のＣ−Ｃ線断面図である。（実施例７）
【図１９】コーナー棚支持部材にステープラー針が打込まれる状態を示す説明図である。（実施例７）
【図２０】ステープラー針打込み部の説明断面図である。（実施例８）
【図２１】ステープラー針打込み部の説明断面図である。（実施例９）
【発明を実施するための形態】
【０００９】  本発明は、コーナー棚の縦部材に設けた係止溝を正面方に傾斜させ、係止溝に差し込まれるコーナ棚支持部材正面に突設させた係止片を係止溝の傾斜角度と同一角度をもって傾斜させることで、受け部材上面への加圧によってもコーナー棚が落下しないようにし耐荷重性を向上させ、しかもコーナ棚をコーナー棚支持部材を介在させて壁面に取り付けるようにしたことで壁面の低位置にコーナー棚を簡単に取り付け可能にすることを実現した。
【実施例１】
【００１０】  図１〜図３に基づいて実施例１を説明する。コーナー棚１は、受け部材２、縦部材３、４及び前板部５よりなる。受け部材２は、平面及び底面から視て略１／４円形状で、平坦な水平面よりなる受け面を上面としている。つまり、平面及び底面から視て同一長さの２側縁が、２側縁の延長線が９０°の角度を有して交差するように配設され、且つ、２側縁の正面端を結ぶ線が円弧状を呈する略１／４円形状に形成されている。２側縁の交差する部分に相当する角部は、正面方に窪ませて電気コード挿通溝６を凹設している。【００１１】  受け部材２の２側縁には、受け部材２の上面と略９０°の角度を有して夫々縦部材３、４が連続的に垂設されている。受け部材２の正面側の円弧状縁には、受け部材２の上面と９０°の角度を有して前板部５を連続的に垂設されている。前板部５の上端部は、受け部材２の上面より僅かばかり隆起させている。【００１２】  縦部材３、４は、上下幅が定幅の平板よりなる。縦部材３、４には、下端縁に差し込み口が開口する係止溝７を夫々設けている。係止溝７は、溝幅が定幅で、差し込み口から上方にかけて正面方に傾斜し、縦部材３、４の上端縁近傍に溝底が位置している。図３に示すように、係止溝７は、溝幅中心線８と受け部材２の上面とのなす角度αが４５〜７０°に設定されている。
【実施例２】
【００１３】  図４〜図１２に基づいて実施例２を説明する。コーナー棚支持部材９は２辺の扁平帯状体１０、１１が内角が略９０°の角度を有して連結されてなる。つまり、実施例２のコーナー棚支持部材９は、嵌合受け溝１５に差し込み片１３を嵌合することで、扁平帯状体１１の屈曲部を角部とし、この角部を中心として同一長さの２辺が角部で交差する平面視及び底面視が略Ｌ型状に形成されるものである。
２辺の扁平帯状体１０、１１のうち一方の扁平帯状体１０は、縦幅が定幅で横方向に長く、内端には差し込み片１３を具備している。背面は壁面１２に当接可能に平坦面に形成され、正面には係止片１４、１４を設けている。係止片１４、１４は、縦部材４の横方向隣り合う係止溝７、７の差し込み口の水平方向に於ける離隔距離と同じ距離を有して離隔する位置に、係止片１４、１４の上端が位置し、上端から下端にかけて差し込み片１３の側に傾斜し、且つ扁平帯状体１０の正面と９０°の角度を有して正面方に突き出して扁平帯状体１０の正面に設けられている。扁平帯状体１０の正面には、扁平帯状体１０の他の部分よりも厚みの薄い正面視が横長矩形状のステープラー針打込み部１７を上下左右方向に離隔した位置に設けている。ステープラー針打込み部１７の厚みは、ステープラーヘッド押圧操作時のステープラー針押出力によりステープラー針１８の脚部のみを貫通可能な厚みに設定されている必要性がある。又、ステープラー針打込み部１７の横幅はステープラー針１８の肩部より広いことを必要とする。ステープラー針１８は、肩部の長さが約９ｍｍ、脚部の長さが約５ｍｍ、線径約０．５ｍｍの一般的に広く使用されている所謂１０号サイズを用いる。【００１４】  他方の扁平帯状体１１は、扁平帯状体１０と同じ縦幅の定幅で横方向に長く、内端を内角が略９０°の角度をもって正面方に屈曲され、内端面に開口する嵌合受け溝１５を設けている。背面は壁面１２に当接可能に平坦面に形成され、正面には扁平帯状体１１の正面と９０°の角度を有して正面方に突設する係止片１６、１６を設けている。係止片１６、１６は、縦部材３の横方向隣り合う係止溝７、７の差し込み口の水平方向に於ける離隔距離と同じ距離を有して係止片１６、１６の上端が位置し、上端から下端にかけて嵌合受け溝１５の側に傾斜されている。扁平帯状体１１の正面には、扁平帯状体１１の他の部分よりも厚みの薄い正面視が横長矩形状のステープラー針打込み部１９を上下左右方向に離隔して設けている。ステープラー針打込み部１９の厚みは、ステープラーヘッド押圧操作時のステープラー針押出力によりステープラー針１８の脚部のみを貫通可能な厚みに設定されている必要性がある。ステープラー針打込み部１９の横幅はステープラー針１８の肩部より広いことを必要とする。ステープラー針１８は、肩部の長さが約９ｍｍ、脚部の長さが約５ｍｍ、線径約０．５ｍｍの一般的に広く使用されている所謂１０号サイズを用いる。【００１５】  次の作用について説明する。扁平帯状体１０と扁平帯状体１１を挿し込み片１３を嵌合受け溝１５に嵌合し、コーナー棚支持部材９を組立てる。扁平帯状体１１の屈曲部を角部とし、角部が壁面コーナー部の内角部に当接させると共に、壁面コーナー部で交差する２面の壁面に夫々扁平帯状体１０、１１の背面を当接状態下で、ステープラー針１８をステープラー鉢打込み部１７、１９に個別的に打込む。壁面コーナー部にコーナー棚支持部材９がステープラー針１８で固定的に取り付けられる。係止片１４は扁平帯状体１１の扁平帯状体１０の先端部側方に、係止片１６は扁平帯状体１１の先端部側方に傾斜している。換言すれば、係止片１４、１６は下端から上端にかけて��々の対応する扁平帯状体１０、１１の先端部側に向けて傾斜している。図１０に示すように、縦部材３の係止溝７に係止片１６が差し込まれ、縦部材４の係止溝７を係止片１４が差し込まれて図１１又は図１２に示すようにコーナー棚１が壁面コーナー部に取り付けられる。
受け部材２の上面のうち正面縁近傍に下方向の力を作用した場合、この作用した位置を支点として、該支点よりコーナ棚の角部側には真上向きの力が働く。扁平帯状体１０、１１の係止片１４、１６のうち屈曲部側に配設される係止片７と係止溝１４、１６の係合部は、傾斜した状態で係合しているので、係止片１４、１６下端部が係止溝７の先端側溝壁に上方向の力が加わり、係止溝７より抜け出ない。受け部材２に下向きの力を作用しても係止溝に係止片は傾斜状態で係合しているので、離脱しない。又、コーナー棚支持部材９を、予め壁面１２にステープラー針１８で取り付けるので、壁面１２の低い場所でも取り付け作業が簡単である。
【実施例３】
【００１６】  図１３に示す実施例３について説明する。図１３はコーナー棚支持部材の一部切欠斜視図である。背面が平坦面に形成され縦幅が定幅で横方向に長い扁平帯状体２０の正面には棒体２１を、扁平帯状体２０の正面に対して９０°の角度を有して正面方に突き出して設けている。２２はステープラー針打込み部である。実施例３においても、２辺の扁平帯状体２０、２０は平面視及び底面視がＬ型に形成されてなるように屈曲された角部を有して連設されてなる。
本発明には、傾斜する係止片とステープラー針打込み部を有する２辺の同一長さの扁平帯状体を、内角９０°の角部を有するように一体成型したものも本願発明に含まれる。
【実施例４】
【００１７】  図１４に示す実施例４について説明する。図１４は、図１３に示されるコーナー棚支持部材に取り付け可能なコーナー棚の縦部材の係止溝を示す説明図である。水平面よりなる上面を有する受け部材２３の側縁には、受け部材２３の上面と９０°の角度を有して縦部材２４が垂直に連設されている。縦部材２４に設けられた係止溝２５は差し込み口が下端縁に開口し、定幅の溝幅を有して縦部材２４の上方になるに従い正面方に傾斜し、縦部材２４の上下方向中途位置で傾斜角度を変化して正面方に傾斜し、溝底を正面方に向けている。係止溝２５の正面方への傾斜角度は、縦部材２４の上下方向中途位置より上側では下側より大になるようにしている。
図１３で示される棒体２１を係止溝２５内を摺動させて実施例３のコーナー棚支持部材にコーナー棚を取り付けるものである。
【実施例５】
【００１８】  図１５に示す実施例５について説明する。受け部材３０の上面と９０°の角度を有して連続して垂説された縦部材２６が設けられている。係止溝２７は、縦部材２６の下端縁に差し込み口を開口し、差し込み口から縦部材２６の上端縁近傍にかけて溝底が正面方を向くように弧状に彎曲している。図１３で示される実施例３の棒体２１を係止溝２７内を摺動させて実施例３の扁平帯状体２０よりなるコーナー棚支持部材にコーナー棚を取り付けるものである。
【実施例６】
【００１９】  図１６に示す実施例６について説明する。受け部材４２に連続的に垂設された縦部材２８に設けられている係止溝２９は、縦部材２８の下端縁に差し込み口を開口し、縦部材２８の上部で屈曲して溝底が正面を向くように、溝幅中心線が水平な部分と垂直な部分を連通してなる。図１３で示される棒体２１を係止溝２９内を摺動させて棒体２１を係止溝２９の水平な部分に位置させ、実施例３の扁平帯状体２０よりなるコーナー棚支持部材にコーナー棚を取り付けるものである。
【実施例７】
【００２０】  図１７〜図１９に示す実施例６について説明する。実施例７では、扁平帯状体３１の正面に形成されるステープラー針打込み部３２は、ステープラーヘッド３３の押圧操作時におけるステープラー針１８の押出力により、ステープラー針１８の脚部のみを貫通可能な厚みに凹設され、ステープラー針打込み部３２を囲む上下左右側壁のうち上側壁３４を傾斜させている。上側壁３４は、ステープラー針打込み部３２とのなす角度βが鈍角、具体的には１１０〜１６０°になるように設定されている。角度βは、１２０°であることが好適である。
図１９に示すように、上側壁３４を傾斜面にすることで、ステープラーヘッド３３の頭部先端面を上側壁に当接状態で、ステープラー針押出作業をすると、ステープラー針１８は壁面１２に下向き２０〜７０°の角度をもって刺し込まれる。その結果、壁面１２に取り付けられた扁平帯状体３１が壁面１２に対して直角方向に引っ張られる力に強く、壁面１２への固着力が良好になる。
【実施例８】
【００２１】  図２０に示す実施例８について説明する。扁平帯状体３５に設けられているステープラー針打込み部３６の下側壁３７は、ステープラー打込み部３６とのなす角度が１１０〜１６０°の傾斜面に形成し、傾斜面にステープラーヘッドの頭部先端面を当接してステープラー針を打込むとステープラー針の脚部が上向きに壁面に打込まれる。壁面の低い位置にコーナー棚を取り付ける場合に効率化を図り得る。
【実施例９】
【００２２】  図２１に示す実施例９について説明する。扁平帯状体３８に設けられているステープラー針打込み部３９の上側壁４０と下側壁４１は、ステープラー針打込み部３９に対して１１０〜１６０°の角度を有して傾斜する傾斜面に形成されている。ステープラーヘッド頭部先端面を上側壁４０若しくは下側壁４１の何れかに当接状態下でステープラー針打込み部３９にステープラー針を打込み可能にすることで、１種類の扁平帯状体３８で壁面への取り付け位置の選択範囲が広がるという効果がある。
【符号の説明】
【００２３】  １  コーナー棚
２、２３、３０、４２  受け部材
３、４、２４、２６、２８  縦部材
７、２５、２７、２９  係止溝
８  溝幅中心線
９  コーナー棚支持部材
１０、１１、２０、３１、３５、３８  扁平帯状体
１２  壁面
１４、１６  係止片
１７、１９、２２、３２、３６、３９  ステープラー針打込み部
１８  ステープラー針
２１  棒体
３３  ステープラーヘッド
３４、４０  上側壁
３７、４１  下側壁
【図１】
2019130262.tif 000003
【図２】
2019130262.tif 000004
【図３】
2019130262.tif 000005
【図４】
2019130262.tif 000006
【図５】
2019130262.tif 000007
【図６】
2019130262.tif 000008
【図７】
2019130262.tif 000009
【図８】
2019130262.tif 000010
【図９】
2019130262.tif 000011
【図１０】
2019130262.tif 000012
【図１１】
2019130262.tif 000013
【図１２】
2019130262.tif 000014
【図１３】
2019130262.tif 000015
【図１４】
2019130262.tif 000016
【図１５】
2019130262.tif 000017
【図１６】
2019130262.tif 000018
【図１７】
2019130262.tif 000019
【図１８】
2019130262.tif 000020
【図１９】
2019130262.tif 000021
【図２０】
2019130262.tif 000022
【図２１】
2019130262.tif 000023